(57)【要約】      （修正有）【課題】動くことが可能なペット用噛みおもちゃを提供する。【解決手段】１つの噛み部及び少なくとも１つの変形部を含むおもちゃ本体と、噛みエアバッグ２及び変形エアバッグ３を含む変形駆動機構とを備え、噛みエアバッグと変形エアバッグは、それぞれ噛み部と変形部にマッチングし、噛みエアバッグと変形エアバッグとは気相的に連通され、変形エアバッグの変形力は噛みエアバッグの圧力よりも大きい、可動ペット用噛みおもちゃ。【選択図】図１
0003232298.tif 000002
【実用新案登録請求の範囲】
【請求項１】
１つの噛み部及び少なくとも１つの変形部を少なくとも含むおもちゃ本体と、噛みエアバッグ及び変形エアバッグを含む変形駆動機構とを備え、
前記噛みエアバッグと変形エアバッグは、それぞれ噛み部と変形部にマッチングし、
噛みエアバッグと変形エアバッグとは気相的に連通し、
前記変形エアバッグの変形力は噛みエアバッグの圧力よりも大きいことを特徴とする、可動ペット用噛みおもちゃ。
【請求項２】
前記変形エアバッグの少なくとも１つの側のバッグ壁は連続折畳構造として設けられ、変形エアバッグは無外力で、折り畳まれた側へ曲げられていることを特徴とする、請求項１に記載の可動ペット用噛みおもちゃ。
【請求項３】
前記噛みエアバッグと変形エアバッグとは、直接的に接続される、又はエアチューブで接続されてもよいことを特徴とする、請求項１に記載の可動ペット用噛みおもちゃ。
【請求項４】
前記噛みエアバッグと変形エアバッグとの接続箇所にエア呼び子が設けられ、ペットが噛んでいる際に、音声を発することを特徴とする、請求項１に記載の可動ペット用噛みおもちゃ。
【請求項５】
前記噛みエアバッグの形状は、オリーブ形、ヒョウタン形、球状、及び柱状であることを特徴とする、請求項１に記載の可動ペット用噛みおもちゃ。
【請求項６】
前記変形エアバッグには更に、変形部に固定される固定部材が設けられることを特徴とする、請求項１に記載の可動ペット用噛みおもちゃ。
【請求項７】
前記おもちゃ本体は、動物人形であることを特徴とする、請求項１に記載の可動ペット用噛みおもちゃ。
【請求項８】
前記変形部は、動物人形における耳、テール、爪、翼の部位であることを特徴とする、請求項１に記載の可動ペット用噛みおもちゃ。
【請求項９】
前記おもちゃ本体は、織布、不織布、ゴム材、シリカゲル材などのフレキシブル材であることを特徴とする、請求項１に記載の可動ペット用噛みおもちゃ。
【考案の詳細な説明】
【技術分野】
【０００１】
本考案は、ペット用おもちゃに関し、具体的には、ペット用品技術分野に属する、可動ペット用噛みおもちゃに関する。
【背景技術】
【０００２】
ペット用おもちゃは、伝統的な意味でのおもちゃと違って、ペットを遊ばせるためのものである。伝統的なおもちゃは、子供や女の子、男の子が空虚感を拭い去る又は暇をつぶすためのものである。ペット用おもちゃは、ペットを人間の仲間とする関係で生まれたタイプであり、人間と自分のかわいがるペットが確かに交流するという目的で存在するものである。
【０００３】
厳格な意味で、ペットは自ら、感情を放出するための方法を無意識に選択することがあり、例えば、歯を磨いたり、ペット主の靴や靴下を引っ張ったり、動いている物体を追いかけたりするようになり、特に、猫は捕まえた鼠を追いかけて遊ぶことが好きである。そのため、ペット用おもちゃの誕生は、ある程度ペットの感情面での要求を満たし、また、生理面やペット主との交流の面でも、重要な深化と強化を齎すのに役立つ。
【０００４】
今の市場では、様々な犬と猫用のおもちゃ、例えば天然の骨、小さなボール、ペット主の靴と帽子、布製の人形などがあるが、これらのおもちゃは全て動かすことができないものであり、ペットが何日か遊んで寂しいと感じて捨てるようになる。市場では電動おもちゃも現れているが、動かすことはできても交流するまでには至らず、基本的には設置された所定の動き方で動くしかない。また、電動おもちゃには安全面でも多少の問題がある。
【考案の概要】
【考案が解決しようとする課題】
【０００５】
本考案の目的は、従来技術の上記した問題を解消するために、可動ペット用噛みおもちゃを提供することにある。
【課題を解決するための手段】
【０００６】
本考案の目的は、以下の技術手段によって実現される。
【０００７】
１つの噛み部及び少なくとも１つの変形部を少なくとも含むおもちゃ本体と、噛みエアバッグ及び変形エアバッグを含む変形駆動機構を備え、上記噛みエアバッグと変形エアバッグはそれぞれ噛み部と変形部にマッチングされ、噛みエアバッグと変形エアバッグとは気相的に連通し、上記変形エアバッグの変形力は噛みエアバッグの圧力よりも大きいことを特徴とする、可動ペット用噛みおもちゃである。
【０００８】
上記変形エアバッグの少なくとも一つの側のバッグ壁は、連続折畳構造として設けられ、変形エアバッグは無外力で、折り畳まれた側へ曲げられている。
【０００９】
上記噛みエアバッグと変形エアバッグとは、直接的に接続される、又はエアチューブで接続されてもよい。
【００１０】
上記噛みエアバッグと変形エアバッグとの接続箇所にエア呼び子が設けられるため、ペットが噛んでいる際に、音声を発することができる。
【００１１】
上記噛みエアバッグの形状は、オリーブ形、ヒョウタン形、球状、及び柱状である。
【００１２】
上記変形エアバッグには、変形部に固定される固定部材が設けられる。
【００１３】
上記おもちゃ本体は、動物人形である。
【００１４】
上記変形部は、動物人形における耳、テール、爪、翼などの部位である。
【００１５】
上記おもちゃ本体は、織布、不織布、ゴム材、シリカゲル材などのフレキシブル材である。
【考案の効果】
【００１６】
本考案の技術手段によって、以下の有利な効果が得られる。
【００１７】
１）噛みエアバッグと変形エアバッグという設計によって、ペットが噛んでいる際に、変形部はペットの動作に伴って対応して動作し、ペットと交流する効果が得られる。
【００１８】
２）本考案の技術手段は簡単で信頼性があり、従来のペット用おもちゃを改良することによって、ペットとの交流機能を得ることができる。
【図面の簡単な説明】
【００１９】
【図１】本考案の構造模式図である。
【図２】本考案において実施例１を表現するための構造模式図である。
【図３】本考案において実施例２を表現するための構造模式図である。
【図４】本考案において実施例３を表現するための構造模式図である。
【図５】本考案に係る噛みエアバッグの１つの実施例の構造模式図である。
【図６】本考案において実施例４を表現するための構造模式図である。
【図７】本考案において実施例４の噛みエアバッグの未充気状態を表現するための構造模式図である（おもちゃ本体を除外）。
【図８】本考案において実施例４の噛みエアバッグの充気状態を表現するための構造模式図である（おもちゃ本体を除外）。
【考案を実施するための形態】
【００２０】
以下、図面及び具体的な実施例に基づいて、本考案の技術的特徴を更に説明する。
【００２１】
図１、図２、図３及び図４に示す可動ペット用噛みおもちゃは、それぞれ実施例１、実施例２、実施例３であり、１つの噛み部及び少なくとも１つの変形部を少なくとも含むおもちゃ本体１と、噛みエアバッグ２及び変形エアバッグ３を含む変形駆動機構を備え、上記噛みエアバッグ２と変形エアバッグ３はそれぞれ噛み部と変形部にマッチングされ、噛みエアバッグ２と変形エアバッグ３とは気相的に連通し、上記変形エアバッグ３の変形力は噛みエアバッグ２の圧力よりも大きい。
【００２２】
上記変形エアバッグ３の少なくとも１つの側のバッグ壁は連続折畳構造４として設けられ、変形エアバッグ３は無外力で、折り畳まれた側へ曲げられている。
【００２３】
図４に示すように、上記噛みエアバッグ２と変形エアバッグ３とは、直接的に接続される、又はエアチューブ５で接続されてもよい。
【００２４】
上記噛みエアバッグ２と変形エアバッグ３との接続箇所にエア呼び子が設けられるため、ペットが噛んでいる際に、音声を発することができる。
【００２５】
上記噛みエアバッグの形状は、オリーブ形、ヒョウタン形（例えば図５）、球状、及び柱状である。
【００２６】
上記変形エアバッグ３には更に、変形部に固定される固定部材が設けられる。
【００２７】
上記おもちゃ本体１は、動物人形である。
【００２８】
上記変形部は、動物人形における耳、テール、爪などの部位である。
【００２９】
上記おもちゃ本体１は、織布、不織布、ゴム材、シリカゲル材などのフレキシブル材である。
【００３０】
利用する場合、ペットがペット用おもちゃの噛み部を噛む、又は飛んで押さえる際に、噛みエアバッグ２が圧迫され、噛みエアバッグ２における気体が変形エアバッグ３に入るようになる。エアバッグ内の圧力が変形エアバッグ３のバッグ壁回復力よりも大きくなると、変形エアバッグ３は速やかに充気されて立つようになり、変形部はこれに従って動作するようになる。そして、ペットは、ペット用おもちゃが自分と交流しているように感じる。
【００３１】
また、エアバッグ内のエアの流れによって、エア呼び子が音声を発し、ペットは更にこれに気づいて、遊びの興味が増す。
【００３２】
図５、図６、図７に示す可動ペット用噛みおもちゃは、おもちゃ本体１を備え、上記おもちゃ本体１に１つの変形部８が少なくとも含まれ、変形部８内には少なくとも１つの折り畳まれた変形エアバッグ３が取り付けられ、上記おもちゃ本体１に少なくとも１つの噛み部９が含まれ、噛み部９内には少なくとも１つの充気された噛みエアバッグ２が取り付けられ、上記変形エアバッグ３と噛みエアバッグ２とはチューブ５で連通され、上記変形エアバッグ３のバッグ壁回復力は噛みエアバッグ２のエア圧力（圧力の強さ）よりも大きい。
【００３３】
上記変形エアバッグ２には更に、変形部に固定される固定部材７が設けられる。
【００３４】
上記おもちゃ本体１は、動物人形である。
【００３５】
上記変形部２は、動物人形における耳、テール、爪などの部位である。
【００３６】
上記おもちゃ本体１は、織布、不織布、ゴム材、シリカゲル材などのフレキシブル材である。
【００３７】
利用する場合、ペットがペット用おもちゃの噛み部９を噛む、又は飛んで押さえる際に、噛みエアバッグ２は圧迫され、噛みエアバッグ２における気体がチューブ５を介して変形エアバッグ３に入るようになる。噛みエアバッグ２の圧力が変形エアバッグ３のバッグ壁回復力よりも大きくなると、変形エアバッグ３は速やかに充気されて立つようになり、変形部８はこれに従って動作するようになる。そして、ペットはペット用おもちゃが自分と交流しているように感じる。
【符号の説明】
【００３８】
１    おもちゃ本体
２    噛みエアバッグ
３    変形エアバッグ
４    連続折畳機構
５    エアチューブ
６    チューブ
７    固定部材
８    変形部
９    噛み部
【図１】
0003232298.tif 000003
【図２】
0003232298.tif 000004
【図３】
0003232298.tif 000005
【図４】
0003232298.tif 000006
【図５】
0003232298.tif 000007
【図６】
0003232298.tif 000008
【図７】
0003232298.tif 000009
【図８】
0003232298.tif 000010